(57)【要約】【課題】ウェイト系列指示情報のオーバーヘッドを増加させることなく、受信性能を向上させる。【解決手段】時間軸及び周波数軸で区切られた複数の送信ブロックにそれぞれ割り当てられた複数のウェイト系列集合を送信ブロックに対応付けて蓄積する蓄積部１２、複数の送信ブロックから一つの送信ブロックを選択する送信ブロック選択部１５、前記一つの送信ブロックに割り当てられている前記一つのウェイト系列集合から一つのウェイト系列を選択するウェイト系列選択部１３、前記一つのウェイト系列を用いて前記データ信号を変換して変換信号を生成する生成部１４、及び前記変換信号を前記一つの送信ブロックを用いて送信する送信部１６〜１８を有する。【選択図】      図１
2008244793.tif 000002
【特許請求の範囲】
【請求項１】
時間軸及び周波数軸で区切られた複数の送信ブロックに複数のウェイト系列集合から選択された一つのウェイト系列集合をそれぞれ割り当てるステップと；
前記複数の送信ブロックから一つの送信ブロックを選択するステップと；
前記一つの送信ブロックに割り当てられている前記一つのウェイト系列集合から一つのウェイト系列を選択するステップと；
前記一つのウェイト系列を用いて前記データ信号を変換して変換信号を生成するステップと；
前記変換信号を前記一つの送信ブロックを用いて送信するステップと；を具備する無線送信方法。
【請求項２】
前記一つのウェイト系列を指示する指示情報を受信するステップをさらに具備し、前記選択するウェイト系列を選択するステップは、前記指示情報に従って前記一つのウェイト系列を選択する請求項１記載の無線送信方法。
【請求項３】
時間軸及び周波数軸で区切られた複数の送信ブロックにそれぞれ割り当てられた複数のウェイト系列集合を前記送信ブロックに対応付けて蓄積する蓄積部と；
前記複数の送信ブロックから一つの送信ブロックを選択する送信ブロック選択部と；
前記一つの送信ブロックに割り当てられている前記一つのウェイト系列集合から一つのウェイト系列を選択するウェイト系列選択部と；
前記一つのウェイト系列を用いて前記データ信号を変換して変換信号を生成する生成部と；
前記変換信号を前記一つの送信ブロックを用いて送信する送信部と；を具備する無線送信装置。
【請求項４】
前記一つのウェイト系列を指示する指示情報を受信する受信部をさらに具備し、前記ウェイト系列選択部は、前記指示情報に従って前記一つのウェイト系列を選択するように構成される請求項３記載の無線送信装置。
【請求項５】
前記一つのウェイト系列を指示する指示情報を受信する受信部をさらに具備し、前記ウェイト系列選択部は、前記指示情報に従って前記一つのウェイト系列を選択し、前記送信ブロック選択部は、前記指示情報に従って前記一つの送信ブロックを選択するように構成される請求項３記載の無線送信装置。
【請求項６】
前記一つのウェイト系列を指示する指示情報及び前記送信ブロックに対応するチャネルに関する品質情報を受信する受信部をさらに具備し、前記ウェイト系列選択部は、前記指示情報に従って前記一つのウェイト系列を選択し、前記送信ブロック選択部は、前記品質情報に従って前記一つの送信ブロックを選択するように構成される請求項３記載の無線送信装置。
【請求項７】
前記複数の送信ブロックは、周波数方向及び時間方向の少なくとも一方の方向で隣接する第１送信ブロック及び第２送信ブロックを含み、
前記複数のウェイト系列集合は、前記第１送信ブロックに割り当てられた第１ウェイト系列集合、及び前記第２送信ブロックに割り当てられた、前記第１ウェイト系列集合と異なる第２ウェイト系列集合を含む請求項３記載の無線送信装置。
【請求項８】
前記複数の送信ブロックは、周波数方向及び時間方向の少なくとも一方の方向で隣接する第１送信ブロック及び第２送信ブロックを含み、
前記複数のウェイト系列集合は、前記第１送信ブロックに割り当てられた第１ウェイト系列集合、及び前記第２送信ブロックに割り当てられた、前記第１ウェイト系列集合との相関が相対的に小さい第２ウェイト系列集合を含む請求項３記載の無線送信装置。
【請求項９】
前記複数の送信ブロックは、周波数方向及び時間方向の少なくとも一方の方向で隣接する第１送信ブロック及び第２送信ブロックを含み、
前記複数のウェイト系列集合は、前記第１送信ブロックに割り当てられた、複数の第１ウェイト系列の第１ウェイト系列集合、及び前記第２送信ブロックに割り当てられた、前記第１ウェイト系列と異なる複数の第２ウェイト系列の第２ウェイト系列集合を含む請求項３記載の無線送信装置。
【請求項１０】
前記複数の送信ブロックは、周波数方向及び時間方向の少なくとも一方の方向で隣接する第１送信ブロック及び第２送信ブロックを含み、
前記複数のウェイト系列集合は、前記第１送信ブロック及び第２送信ブロックに共通に割り当てられたウェイト系列集合を含む請求項３記載の無線送信装置。
【請求項１１】
前記複数のウェイト系列集合は、前記第１送信ブロック群に共通に割り当てられた第１ウェイト系列集合と；前記第１送信ブロック群に近接した送信ブロックに割り当てられ、前記第１ウェイト系列集合との相関が相対的に小さい第２ウェイト系列集合とを含む請求項３記載の無線送信装置。
【請求項１２】
前記複数のウェイト系列集合は、複数の第１ウェイト系列の各ウェイトに同一の位相回転を施して生成される、複数の第２ウェイト系列の集合を含む請求項３記載の無線送信装置。
【請求項１３】
前記複数のウェイト系列集合は位相回転が施されており、前記複数の送信ブロックのうち周波数方向または時間方向に隣接する送信ブロック間の、前記位相回転の差は一定である請求項３記載の無線送信装置。
【請求項１４】
時間軸及び周波数軸で区切られた複数の送信ブロックに複数のウェイト系列集合から選択された一つのウェイト系列集合をそれぞれ割り当てるステップと；
前記送信ブロック毎に、該送信ブロックに割り当てられている前記一つのウェイト系列集合から一つのウェイト系列を選択するステップと；
前記一つのウェイト系列を示す指示情報を送信するステップと；
前記一つのウェイト系列を用いてデータ信号を変換して生成される変換信号を受信するステップと；
前記変換信号から前記データ信号を再生するステップと；を具備することを特徴とする無線送信方法。
【請求項１５】
時間軸及び周波数軸で区切られた複数の送信ブロックにそれぞれ割り当てられた複数のウェイト系列集合を前記送信ブロックに対応付けて蓄積する蓄積部と；
前記送信ブロック毎に、該送信ブロックに割り当てられている前記一つのウェイト系列集合から一つのウェイト系列を選択するウェイト系列選択部と；
前記一つのウェイト系列を示す指示情報を送信する送信部と；
前記一つのウェイト系列を用いてデータ信号を変換して生成される変換信号を受信する受信部と；
前記変換信号から前記データ信号を再生する再生部と；を具備する無線受信装置。
【発明の詳細な説明】
【技術分野】
【０００１】
本発明は、無線通信システムにおける無線送信方法と装置及び無線受信方法と装置に関する。
【背景技術】
【０００２】
複数のアンテナから信号を送信する際、アンテナ毎に信号にウェイトを乗じることによって受信側の性能を向上させる方法が広く知られている。例えば、複数のアンテナから同一の信号を送信する際に、受信端で各アンテナからの受信信号の位相や振幅が揃うようにするためのウェイトを送信側で乗じることによって、利得を得る方法が知られている。また、複数の信号を複数のアンテナから送信する際に、受信端で複数の信号に重畳された伝送路が互いに直交関係となりやすいように位相や振幅を調整するウェイトを送信側で乗じることによって、複数の信号を分離しやすくする方法が知られている。これらの方法は一般にウェイトを細かく調整できるほど性能が向上する。
【０００３】
上り回線と下り回線が同じ周波数を使う時分割復信（Time Division Duplex:ＴＤＤ）のようなシステムでは、上り回線と下り回線のチャネルがほぼ同じになるため、例えば上り回線で受信される信号からチャネル推定を行い、チャネル推定結果を基にして下り回線で用いるウェイト系列を計算することができる。
【０００４】
一方、上り回線と下り回線が異なる周波数を使う周波数分割復信（Frequency Division Duplex:ＦＤＤ）のようなシステムでは、一般に上り回線と下り回線のチャネルが異なる。そのため、例えば上り回線で受信される信号からチャネル推定結果を基に下り回線で使うウェイト系列を算出することはできない。従って、下り回線の受信側で下り回線のチャネル推定を行って所望のウェイト系列を算出し、算出したウェイト系列を示すウェイト系列指示情報を上り回線を使って送信側に伝達する必要がある。
【０００５】
非特許文献１では、２本のアンテナそれぞれに対応するウェイトを示すウェイト系列が複数種類用意され（複数種類のウェイト系列をウェイト系列集合と呼ぶ）、このウェイト系列集合は送信側と受信側で共有される。非特許文献１によると、受信側ではウェイト系列集合の中から１つのウェイト系列が選択され、選択されたウェイト系列のインデックスがウェイト系列指示情報（非特許文献１では、Feedback Signaling Message(FSM)と称している）として送信側に伝達される。
【非特許文献１】“3GPP TS 25.214 v3.12.0(2003-03)”, [online]，平成15年3月，［平成19年3月15日検索］，インターネット＜URL: http://www.3gpp.org/ftp/Specs/2006-09/R1999/25_series/25214-3c0.zip (P33-42)＞
【発明の開示】
【発明が解決しようとする課題】
【０００６】
ウェイトの調整を細かくして受信性能を向上させるためには、ウェイト系列集合のサイズを大きくする必要がある。非特許文献１のようにウェイト系列集合を送信側と受信側とで共有する場合、ウェイト系列集合のサイズが大きくなると、ウェイト系列指示情報のオーバーヘッドが増加するという問題がある。
【０００７】
この発明は、ウェイト系列指示情報のオーバーヘッドを増加させることなく、受信性能を向上させることを提供することを目的とする。
【課題を解決するための手段】
【０００８】
本発明の一態様による無線送信装置は、時間軸及び周波数軸で区切られた複数の送信ブロックにそれぞれ割り当てられた複数のウェイト系列集合を前記送信ブロックに対応付けて蓄積する蓄積部と；前記複数の送信ブロックから一つの送信ブロックを選択する送信ブロック選択部と；前記一つの送信ブロックに割り当てられている前記一つのウェイト系列集合から一つのウェイト系列を選択するウェイト系列選択部と；前記一つのウェイト系列を用いて前記データ信号を変換して変換信号を生成する生成部と；前記変換信号を前記一つの送信ブロックを用いて送信する送信部と；を具備する。
【０００９】
本発明の他の態様による無線受信装置は、時間軸及び周波数軸で区切られた複数の送信ブロックにそれぞれ割り当てられた複数のウェイト系列集合を前記送信ブロックに対応付けて蓄積する蓄積部と；前記送信ブロック毎に、該送信ブロックに割り当てられている前記一つのウェイト系列集合から一つのウェイト系列を選択するウェイト系列選択部と；前記一つのウェイト系列を示す指示情報を送信する送信部と；前記一つのウェイト系列を用いてデータ信号を変換して生成される変換信号を受信する受信部と；前記変換信号から前記データ信号を再生する再生部と；を具備する。
【発明の効果】
【００１０】
本発明によれば、送信ブロック毎に複数のウェイト系列集合から選択された一つのウェイト系列集合を用いることにより、ウェイト系列集合のサイズ増大によるウェイト系列指示情報のオーバーヘッドの増加を伴うことなく、適切にウェイト系列を送信に用いて受信性能を向上させることができる。
【発明を実施するための最良の形態】
【００１１】
以下、図面を参照して本発明の実施形態について説明する。  
（無線送信装置）  
図１に示されるように、本発明の一実施形態に係る無線送信装置では、入力端子１０に入力される送信すべきデータは一次変調部１１により変調され、この例では１つの送信ベースバンド信号が生成される。一次変調部１１においては、従来知られている種々のディジタル変調方式、例えばＢＰＳＫ(Binary Phase Shift Keying）、ＱＰＳＫ(Quadrature Phase Shift Keying)、ＡＳＫ(Amplitude Shift Keying）、ＦＳＫ(Frequency Shift Keying）、１６ＱＡＭ（16 Quadrature Amplitude Modulation）、あるいは６４ＱＡＭなどの変調方式が利用される。
【００１２】
一次変調部１１からの送信ベースバンド信号は、後述する送信アンテナの数Ｍと同じ数の乗算器１４−１〜１４−Ｍに入力される。ウェイト系列集合蓄積部１２は、Ｍ個のウェイトをそれぞれ含み、後述する送信ブロックにそれぞれ割り当てられた複数のウェイト系列（ウェイト系列集合という）を送信ブロックに対応付けて蓄積しており、例えばＲＯＭが用いられる。
【００１３】
ウェイト系列集合蓄積部１２に蓄積されたウェイト系列集合から、ウェイト系列選択部１３により一つのウェイト系列が選択される。選択されたウェイト系列の各ウェイトは乗算器１４−１〜１４−Ｍに与えられ、一次変調部１１からの送信ベースバンド信号に乗じられる。これにより送信ベースバンド信号は、乗算器１４−１〜１４−Ｍにおいて異なる重み付けがなされる。
【００１４】
乗算器１４−１〜１４−Ｍにより重み付けされることによって変換されたＭ個の送信ベースバンド信号（変換信号）は、送信ブロック選択／割り当て部１５−１〜１５−Ｍに入力される。送信ブロック選択/割り当て部１５−１〜１５−Ｍでは、後述するように複数の送信ブロックからそれぞれ一つの送信ブロックが選択され、さらに選択された送信ブロックが入力された送信ベースバンド信号にそれぞれ割り当てられる。
【００１５】
送信ブロックが割り当てられた送信ベースバンド信号は、割り当てられた送信ブロックに従って二次変調部１６−１〜１６−Ｍにより変調される。二次変調部１６−１〜１６−Ｍにおいては、例えば符号分割多重アクセス（Code Division Multiple Access：ＣＤＭＡ）、周波数分割多重（Orthogonal Frequency Division Multiplexing：ＯＦＤＭ）、あるいはＣＤＭＡとＯＦＤＭを組み合わせた周波数及び符号分割多重（Orthogonal Frequency and Code Division Multiplexing：ＯＦＣＤＭ）といった変調方式が用いられる。二次変調部１６−１〜１６−Ｍにより変調された信号を多重変調信号（multiplexing modulated signal）と呼ぶ。
【００１６】
二次変調部１６−１〜１６−Ｍから出力される多重変調信号は、無線部１７−１〜１７−Ｍに入力される。無線部１７−１〜１７−Ｍは、周波数変換器（アップコンバータ）、電力増幅器及び必要に応じてフィルタを有する。多重変調信号は無線部１７−１〜１７−ＭにおいてＲＦ（無線周波数）帯の周波数にアップコンバートされ、さらに電力増幅がなされた後、送信アンテナ１８−１〜１８−Ｍに供給されることによって送信される。
【００１７】
一方、受信アンテナ２１では後述する無線送信装置から送信されてくるＲＦ信号が受信される。受信アンテナ２１で受信されるＲＦ信号は、ウェイト系列選択部１３によって選択されるべきウェイト系列を指示するインデックス（ウェイト系列指示情報という）が変調された信号である。受信アンテナ２１から出力される受信ＲＦ信号は、無線部２２により増幅及び周波数変換（ダウンコンバート）がなされた後、ウェイト系列指示情報再生部２３に送られ、ウェイト系列指示情報２４が再生される。再生されたウェイト系列指示情報２４は、ウェイト系列選択部１３及び送信ブロック選択／割当部１５−１〜１５−Ｍに送られる。
【００１８】
（送信ブロックについて）  
以下、送信ブロックについて説明する。送信ブロックとは、例えば図２に示すように時間軸及び周波数軸で区切られた矩形の領域（時間−周波数領域）を表す。本実施形態によると、データ信号の送信は送信ブロックを用いて、送信ブロックに対応する単位で行われる。例えば、二次変調部１６−１〜１６−ＭがＣＤＭＡのようなシングルキャリア変調方式を採用している場合、周波数方向はシングルキャリア信号の帯域幅、時間方向はシンボルａ個分でそれぞれ区切られた時間−周波数領域が送信ブロックである。二次変調部１６−１〜１６−ＭがＯＦＤＭまたはＯＦＣＤＭのようなマルチキャリア変調方式を採用している場合には、時間方向にシンボルａ個分、周波数方向にサブキャリアｂ個分の長さでそれぞれ区切られた時間−周波数領域が送信ブロックである。異なる送信ブロックは、送信に使用される周波数及び時間が異なる。このため、各送信ブロックによって送信される信号は、一般には応答の異なるチャネルを介して送信される。
【００１９】
無線通信システムを利用する各ユーザは、複数の送信ブロックのうちの一部を使って送信された信号を受信する。こうすることにより、ある時間に使用された送信ブロックの数に比例した伝送レートが達成される。言い換えれば、高い伝送レートを必要とするユーザは、より多くの送信ブロックを使用して通信を行う。逆に、低い伝送レートでもよいユーザは少ない送信ブロックを使用して通信を行う。
【００２０】
（ウェイト系列とウェイト系列集合について）  
次に、ウェイト系列とウェイト系列集合について説明する。ウェイト系列とは、ウェイトを並べた系列を表している。例えば、図１のように送信ベースバンド信号の数が１つで、送信アンテナがＭ個の場合、一つのウェイト系列ｐは
【数１】
2008244793.tif 000003
【００２１】
のように、１×Ｍの行列として表される。この場合、ｍ（１，２，…，Ｍ）番目のアンテナによって送信される送信ベースバンド信号には、ウェイトｗmが乗じられる。
【００２２】
一方、送信ベースバンド信号の数がＳで、送信アンテナの数がＭの場合には、ウェイトも信号とアンテナのそれぞれに定義されるため、一つのウェイト系列ｐは
【数２】
2008244793.tif 000004
【００２３】
のように、Ｓ×Ｍの行列として表される。この場合、ｍ（１，２，…，Ｍ）番目のアンテナによって送信される送信ベースバンド信号には、ウェイトｗsmが乗じられる。
【００２４】
ウェイト系列の要素であるウェイトは、シングルキャリアシステムの場合には例えば複素数値の定数で表される。ウェイト系列の要素であるウェイトは、マルチキャリアシステムで送信ブロック内に複数のサブキャリアがある場合には、シングルキャリアシステムと同様に複素数値の定数で表すこともできるし、サブキャリア番号ｆに関する関数ｗ(f)で表すこともできる。
【００２５】
ウェイト系列集合とは、上述のようなウェイト系列の集合を表している。ウェイト系列集合のサイズとは、ウェイト系列集合に含まれるウェイト系列の系列数を表している。前述の通り、ウェイト系列集合のサイズが大きいほど、ウェイトをより細かく調整することができるため、受信性能を向上させることができるが、反面でウェイト系列指示情報のオーバーヘッドが増加してしまう。
【００２６】
２つのウェイト系列集合が同じであるとは、２つのウェイト系列集合のサイズが同じであって、かつ各集合に含まれるウェイト系列が全て同じであることを言う。２つのウェイト系列集合が異なるとは、２つのウェイト系列集合のサイズが異なるか、あるいは各集合に含まれるウェイト系列の一部が異なることを言う。
【００２７】
さらに言えば、ウェイト系列集合とは、ある送信ブロックで使用されるウェイト系列の集合を表している。例えば、第１の送信ブロックでウェイト系列Ｐ１とＰ２が使われており、第２の送信ブロックでウェイト系列Ｐ３とＰ４が使われている場合、第１の送信ブロックで使われているウェイト系列集合は｛Ｐ１，Ｐ２｝であり、第２の送信ブロックで使われているウェイト系列集合は｛Ｐ３，Ｐ４｝である。
【００２８】
（無線受信装置）  
次に、図３を用いて図１に示した無線送信装置に対応する無線受信装置について説明する。図３に示されるように、無線受信装置では図１の無線送信装置から送信されるＲＦ信号が受信アンテナ３１−１〜３１−Ｍによって受信される。受信アンテナ３１−１〜３１−Ｍから出力される受信ＲＦ信号は、無線部３２−１〜３２−Ｍによって増幅され、かつ周波数変換（ダウンコンバート）されることによって、受信ベースバンド信号が生成される。
【００２９】
無線部３１−１〜３１−Ｍから出力される受信ベースバンド信号は、図１中の二次変調部１６−１〜１６−Ｍに対応する二次復調部３３−１〜３１−Ｍによって復調される。二次復調部３３−１〜３１−Ｍからの出力信号は、図１中の一次変調部１１に対応する一次復調部３４とチャネル推定部３５に入力される。チャネル推定部３５では、無線送信装置から無線受信装置までの間のチャネルの応答を推定する処理、すなわちチャネル推定が行われ、チャネル推定値が生成される。
【００３０】
一次復調部３４はチャネル等化部を内蔵しており、チャネル推定部３５からのチャネル推定値を用いて二次変調部３３−１〜３１−Ｍからの出力信号に対してチャネル等化が行われる。次いで、一次復調部３４ではチャネル等化後の信号に対して復調処理が行われることにより、データ信号３６が再生される。
【００３１】
無線受信装置には、さらにウェイト系列集合蓄積部３７、ウェイト系列選択部３８及びウェイト系列指示情報生成部３９が設けられている。ウェイト系列集合蓄積部３７は、図１中に示したウェイト系列集合蓄積部１２と同様にＭ個のウェイトをそれぞれ含む複数のウェイト系列（ウェイト系列集合）を送信ブロックに対応付けて蓄積している。ウェイト系列選択部３８では、ウェイト系列集合蓄積部３７に蓄積されたウェイト系列集合から、チャネル推定部３５からのチャネル推定値に基づき一つのウェイト系列が選択される。
【００３２】
ウェイト系列指示情報生成部３９では、チャネル系列選択部３８によって選択されたチャネル系列を示すインデックスであるチャネル系列指示情報が生成される。チャネル系列指示情報は、無線部４１においてＲＦ帯の周波数にアップコンバートされ、さらに電力増幅がなされた後、送信アンテナ４２に供給されることによって図１の無線送信装置に向けて送信される。
【００３３】
（無線送信装置の変形例）  
図４に示される無線送信装置は、一次変調部１１から出力される送信ベースバンド信号が複数（Ｓ）の場合の例であり、Ｍ個の送信アンテナ１８−１〜１８−Ｍに対応してＳ×Ｍ個の乗算器１３−１１〜１３−Ｓ１，１３−１２〜１３−Ｓ２，・・・，１３−１Ｍ〜１３ＳＭが設けられている。
【００３４】
ウェイト系列選択部１３では、ウェイト系列集合蓄積部１２に蓄積されたウェイト系列集合から１つのウェイト系列が選択される。選択された１つのウェイト系列の各ウェイトは乗算器１３−１１〜１３−１Ｍに与えられ、第２番目のウェイト系列の各ウェイトは乗算器１３−１１〜１３−Ｓ１，１３−１２〜１３−Ｓ２，・・・，１３−１Ｍ〜１３ＳＭに与えられ、一次変調部１１からのＳ個の送信ベースバンド信号に乗じられることによって、それぞれＭ個のアンテナ毎に異なる重み付けがなされる。
【００３５】
こうして乗算器１３−１１〜１３−Ｓ１，１３−１２〜１３−Ｓ２，・・・，１３−１Ｍ〜１３ＳＭにより重み付けされることによって変換されたＭ個の送信ベースバンド信号は、図１の場合と同様に送信ブロック選択／割当部１５−１〜１５−Ｍ、二次変調部１６−１〜１６−Ｍ及び無線部１７−１〜１７−Ｍを経て、送信アンテナ１８−１〜１８−Ｍから送信される。受信アンテナ２１、無線部２２及びウェイト系列指示情報生成部２３については、図１と同様である。
【００３６】
図１または図４に示した無線送信装置では、以下に示すように（ａ）時間軸及び周波数軸で区切られた複数の送信ブロックに複数のウェイト系列集合から選択された一つのウェイト系列集合をそれぞれ割り当てる、（ｂ）前記複数の送信ブロックから一つの送信ブロックを選択する、（ｃ）前記一つの送信ブロックに割り当てられている前記一つのウェイト系列集合から一つのウェイト系列を選択する、（ｄ）前記一つのウェイト系列を用いて前記データ信号を変換して変換信号を生成する、及び（ｅ）前記変換信号を前記一つの送信ブロックを用いて送信する、という手順により送信が行われる。
【００３７】
このように送信ブロック毎に異なるウェイト系列集合の中からウェイト系列を選択して送信すべき信号を変換することにより、送信ブロック毎に使用しているウェイト系列集合のサイズ以上のウェイト系列の中からウェイト系列を選択した場合と同等の受信性能を実現することが可能となる。
【００３８】
例えば、図２に示した例では６種類のウェイト系列集合Ｓ１，Ｓ２，Ｓ３，Ｓ４，Ｓ５及びＳ６が各送信ブロックに割り当てられる。例えば、送信ブロック１０１にはウェイト系列集合Ｓ１が割り当てられ、送信ブロック１０２にはウェイト系列集合Ｓ２が割り当てられている。一般に、周波数方向または時間方向に近接する２つの送信ブロックの間では、送信ブロックに対応するチャネルの相関（チャネル応答の相関）が相対的に高い。図２の例では、送信ブロック１０１と送信ブロック１０２は隣接して配置されているために、それぞれに対応するチャネルの相関は相対的に高い。
【００３９】
送信ブロック１０１と送信ブロック１０２に対応するチャネルが全く同じであると仮定した場合に、送信ブロック１０１に割り当てられたウェイト系列集合Ｓ１から最適なウェイト系列を選び出し、送信ブロック１０２に割り当てられたウェイト系列集合Ｓ２から最適なウェイト系列を選び出したとする。この場合、ウェイト系列集合Ｓ１及びＳ２からそれぞれ選び出されたウェイト系列のいずれかは、ある１つのチャネルに対してウェイト系列集合Ｓ１とウェイト系列集合Ｓ２を合わせた集合の中から選び出した最適なウェイト系列と同じになる。
【００４０】
すなわち、送信ブロック１０１または送信ブロック１０２の少なくともいずれか一方においては、ウェイト系列集合Ｓ１とウェイト系列集合Ｓ２を合わせたサイズの集合からウェイト系列を選び出した場合と等価な受信性能を実現できる。このように送信ブロック毎に、ウェイト系列を選択する対象のウェイト系列集合を変えることによって、ウェイト系列集合のサイズを変えることなく、ウェイト系列集合のサイズをより大きくした場合と同等の受信性能を実現することが可能となる。これにより、ウェイト系列指示情報のオーバーヘッドを増加させることなく、受信性能が向上する。
【００４１】
（無線送信装置及び無線受信装置の処理の流れ）  
次に、図５を用いて図１または図４に示した無線送信装置及び図３に示した無線受信装置の処理の流れについて説明する。図５では、無線送信装置は送信側と記載され、無線受信装置は受信側と記載されている。
【００４２】
まず、送信ブロック毎のウェイト系列集合を共有する（ステップＳ１０１）。これは具体的には、無線送信装置内のウェイト系列集合蓄積部１２及び無線受信装置内のウェイト系列集合蓄積部３７において同一のウェイト系列集合を用意し、これらの集合を各送信ブロックに対応付けて蓄積することに相当する。
【００４３】
ただし、ウェイト系列集合はあらかじめ無線通信システムで既知としておくこともでき、その場合にはステップＳ１０１の処理は省略できる。ウェイト系列集合が既知でない場合には、送信側と受信側のいずれか一方がウェイト系列集合を他方に教える必要があるため、ステップＳ１０１の処理が必要となる。
【００４４】
次に、送信側からチャネル推定のための既知信号を送信する（ステップＳ１０２）。受信側においては、受信した既知信号を用いて送信ブロック毎のチャネル推定を行う（ステップＳ１０３）。既知信号を用いたチャネル推定の方法は公知であるため、ここでは説明を省略する。
【００４５】
次に、受信側においてステップＳ１０３により得られるチャネル推定値を基にして、送信ブロック毎に当該送信ブロックに対応するウェイト系列集合の中から一つのウェイト系列を選択する（ステップＳ１０４）。
【００４６】
次に、受信側から送信ブロック毎に選択されたウェイト系列を示すインデックスであるウェイト系列指示情報を送信側へ送信する（ステップＳ１０５）。ステップＳ１０５では、例えばチャネルの品質が相対的に高い一部の送信ブロックのみに対応するウェイト系列指示情報を送信してもよい。また、ステップＳ１０５においてウェイト系列指示情報と共に、各送信ブロックに対応するチャネルの品質を表す情報（チャネル品質情報）を併せて送信してもよい。
【００４７】
次に、送信側において一つの送信ブロックを選択する（ステップＳ１０６）。各々の送信ブロックにはウェイト系列集合が割り当てられており、また送信ブロック毎に対応するウェイト系列集合から一つのウェイト系列が選択される。従って、結果的にウェイト系列指示情報は送信ブロックに対応付けられていることになるので、ステップＳ１０６ではウェイト系列情報に従って送信ブロックを選択することができる。
【００４８】
例えば、ステップＳ１０５においてチャネル品質が相対的に高い一部の送信ブロック（一般には複数の送信ブロック）のみに対応するウェイト系列指示情報が送信される場合には、ステップＳ１０６では当該ウェイト系列指示情報に対応する一部の送信ブロックの中から一つの送信ブロックを選択する。こうすることにより、ステップＳ１０６ではチャネルの状態がよい送信ブロックが選択される。
【００４９】
また、ステップＳ１０５においてチャネル品質情報も併せて送信される場合には、ステップＳ１０６では当該チャネル品質情報を基にしてチャネルの品質が相対的に高い一つの送信ブロック（例えば、チャネル品質が最も高い送信ブロック）を選択する。こうすることによっても、ステップＳ１０６ではチャネルの状態がよい一つの送信ブロックが選択される。
【００５０】
次に、ステップＳ１０６で選択された送信ブロックに割り当てられているウェイト系列集合から、選択された送信ブロックに対応するウェイト系列をウェイト系列指示情報に従って選択する（ステップＳ１０７）。
【００５１】
最後に、ステップＳ１０７で選択されたウェイト系列を用いて変換された信号に、ステップＳ１０６で選択された送信ブロックを割り当て、当該送信ブロックを用いて送信を行う（ステップＳ１０８）。
【００５２】
このように受信側においてステップＳ１０７で選択されたウェイト系列と同じウェイト系列で変換された送信信号が送信側から送信されるので、受信特性を改善することができる。
【００５３】
以上述べたように、本実施形態によれば送信ブロック毎にウェイト系列集合を変えることによって、ウェイト系列を指示する指示情報のビット数を増やすことなく、無線受信装置が選択可能なウェイト系列の種類を増やすことができる。言い換えると、ウェイト系列指示情報のビットを増やすことなく、ウェイト系列の選択精度を向上させ、良好な受信性能を得ることができる。
【００５４】
図２を用いて説明したように、送信ブロック１０１または送信ブロック１０２のチャネルの相関が高い場合、いずれか一方の送信ブロックではウェイト系列集合Ｓ１とウェイト系列集合Ｓ２を合わせたサイズのウェイト系列集合からウェイト系列を選び出したのと等価な受信性能を実現できる。ここで、図５のステップＳ１０５及びステップＳ１０６に示したような、チャネル品質が良好な送信ブロックを選択する手続きをとることによって、最適なウェイト系列集合が割り当てられた送信ブロックを選択することができる。
【００５５】
送信ブロック１０１と送信ブロック１０２に対応するチャネルが同じで、このチャネルに最適なウェイトがウェイト系列集合Ｓ２に含まれる２番目のウェイト系列であったと仮定する、この場合、例えば送信ブロック１０２に対応するウェイト系列指示情報だけを受信側から送信側に送信する。あるいは、送信ブロック１０１よりも送信ブロック１０２の方がチャネル品質がよいことを示唆するようなチャネル品質情報をそれぞれのウェイト系列指示情報に付加して受信側から送信側に送信する。こうすることにより、最適なウェイトが選択された送信ブロックを選択させることができ、受信性能をより向上させることができる。
【００５６】
（ウェイト系列集合の割り当て例）  
次に、送信ブロックに対するウェイト系列集合の割り当て例について説明する。二つのウェイト系列集合間の相関を考える。二つのウェイト系列集合間の相関が相対的に低いとは、二つのウェイト系列集合の間で、互いに近い値のウェイトのウェイト系列を含む割合が相対的に小さいことを意味する。例えば、以下の４つのウェイト系列集合が与えられたとする。
【数３】
2008244793.tif 000005
【００５７】
集合Ｓ１とＳ３は同一のウェイト系列（１，１）を持っているのに対して、集合Ｓ１とＳ２は同一のウェイト系列を持たない。このことから、集合Ｓ１とＳ２との間の相関は集合Ｓ１とＳ３との間の相関に比べて低いということができる。また、例えば以下の３つのウェイト系列集合が与えられたとする。
【数４】
2008244793.tif 000006
【００５８】
集合Ｓ５の１番目のウェイト系列（１，ｅ0jπ）と集合Ｓ７の１番目のウェイト系列（１，ｅjπ/4）との間の値の差は、集合Ｓ５の１番目のウェイト系列（１，ｅ0jπ）と集合Ｓ６の１番目のウェイト系列（１，ｅjπ/2）との間の値の差に比べて小さいことが分かる。同様に集合Ｓ５とＳ７の２番目のウェイト系列の間の値の差は、集合Ｓ５とＳ６の２番目のウェイト系列の間の値の差に比べて小さいことが分かる。このことから集合Ｓ５とＳ６との間の相関は、集合Ｓ５とＳ７との間の相関に比べて低いということができる。
【００５９】
受信性能を改善することを優先する場合には、近接する送信ブロック間で相対的に相関の低いウェイト系列集合が割り当てられることが望ましい。前述の通り、近接する送信ブロック間では一般に対応するチャネルの相関が高い。従って、近接する送信ブロックに同じウェイト系列集合を割り当てると、それらの送信ブロックに対して同じウェイト系列が選択されてしまう可能性が高くなり、効果が最大限に発揮されない。これに対し、隣接する２つの送信ブロックに相対的に相関の低いウェイト系列集合が割り当てられていれば、あるチャネルに対して２つのウェイト系列集合の中から最適なウェイト系列を選択した場合と同等の性能を実現できる。
【００６０】
例えば、相対的に相関の低い二つのウェイト系列集合Ｓ１及びＳ２が与えられた場合、図６のように時間方向に並ぶ送信ブロックにＳ１及びＳ２を交互に割り当て、周波数方向に並ぶ送信ブロックにもＳ１及びＳ２を交互に割り当ててもよい。このように時間方向及び周波数方向の両方において隣接する送信ブロックに対して、相対的に相関の低いウェイト系列集合を割り当てることができる。
【００６１】
また、例えば４つのウェイト系列集合が与えられ、１番目と２番目のウェイト系列集合の間の相関は相対的に低く、３番目と４番目のウェイト系列集合の間の相関も相対的に低く、それ以外のウェイト系列集合間の相関は低くない（相対的に高い）場合には、図７や図８のようにウェイト系列集合を送信ブロックに割り当ててもよい。図７及び図８において、ウェイト系列集合Ｓ１とＳ２との間の相関およびＳ３とＳ４との間の相関は相対的に低く、ウェイト系列集合Ｓ１とＳ３およびＳ４との間の相関、及びウェイト系列集合Ｓ２とＳ３およびＳ４との間の相関は相対的に低くない（相対的に高い）とする。
【００６２】
図８の例では、相対的に相関の低いウェイト系列集合Ｓ１及びＳ２を周波数方向に交互に並べることによって、周波数方向のチャネルの相関が高い場合に性能を向上させやすくしている。図９の例では、相対的に相関の低いウェイト系列集合Ｓ１及びＳ２を周波数方向に交互に並べることによって、時間方向にチャネルの相関が高い場合に性能を向上させやすくしている。
【００６３】
一方、ウェイト系列指示情報のオーバーヘッドを削減することを優先する場合には、図９、図１０及び図１１のように周波数方向及び時間方向の少なくとも一方で隣接する複数の送信ブロック（近接送信ブロック群という）に対して、同一のウェイト系列集合を割り当ててもよい。前述したように、近接する送信ブロック間ではチャネルの相関が高い。すなわち、近接する送信ブロックに同じウェイト系列集合が割り当てられている場合には、最適なウェイト系列は同じとなる可能性が高い。従って、このような場合、近接送信ブロック群にあえて同一のウェイト系列集合を割り当てると、これらのブロック群に共通の一つのウェイト系列指示情報を用いることができるため、ウェイト系列指示情報のためのオーバーヘッドが削減される。
【００６４】
このように近接送信ブロック群に対して同一のウェイト系列集合を割り当てる場合においても、これらの近接送信ブロック群と近接送信ブロック群に隣接する送信ブロックとは、相対的に相関の低いウェイト系列集合が割り当てられることが望ましい。こうすることにより、受信性能をある程度維持することができる。
【００６５】
例えば、相対的に相関の低い二つのウェイト系列集合Ｓ１及びＳ２が与えられた場合を例にとって説明する。図９の例では、周波数方向で隣接する３個の送信ブロックによって一つの近接送信ブロック群が形成され、第１の近接送信ブロック群３０１に対して集合Ｓ１が割り当てられ、第１の近接送信ブロック群３０１に周波数方向で隣接する第２の近接送信ブロック群３０２に対して集合Ｓ２が割り当てられる。さらに、第１の近接送信ブロック群３０１に時間方向で隣接する第３の近接送信ブロック群３０３に対して集合Ｓ２が割り当てられ、第２の近接送信ブロック群３０２に時間方向で隣接する第４の近接送信ブロック群３０４に対して集合Ｓ１が割り当てられる。このようなウェイト系列集合の割り当て法によると、周波数方向においてチャネルの相関が高い場合に、効率的にウェイト系列指示情報のオーバーヘッドを削減できる。
【００６６】
図１０の例では、時間方向で隣接する２個の送信ブロックによって一つの近接送信ブロック群が形成され、第１の近接送信ブロック群４０１に対して集合Ｓ１が割り当てられ、第１の近接送信ブロック群４０１に周波数方向で隣接する第２の近接送信ブロック群４０２に対して集合Ｓ２が割り当てられる。さらに、第１の近接送信ブロック群４０１に時間方向で隣接する第３の近接送信ブロック群４０３に対して集合Ｓ２が割り当てられ、第２の近接送信ブロック群４０２に時間方向で隣接する第４の近接送信ブロック群４０４に対して集合Ｓ１が割り当てられる。このようなウェイト系列集合の割り当て法によると、時間方向においてチャネルの相関が高い場合に、効率的にウェイト系列指示情報のオーバーヘッドを削減できる。
【００６７】
図１１の例では、周波数方向及び時間方向で隣接する合計４個の送信ブロックによって一つの近接送信ブロック群が形成され、第１の近接送信ブロック群５０１に対して集合Ｓ１が割り当てられ、第１の近接送信ブロック群５０１に周波数方向で隣接する第２の近接送信ブロック群５０２に対して集合Ｓ２が割り当てられる。さらに、第１の近接送信ブロック群５０１に時間方向で隣接する第３の近接送信ブロック群５０３に対して集合Ｓ２が割り当てられ、第３の近接送信ブロック群４０３に周波数方向で隣接し、かつ第２の近接送信ブロック群５０２に時間方向で隣接する第４の近接送信ブロック群５０４に対して集合Ｓ１が割り当てられる。このようなウェイト系列集合の割り当て法によると、周波数方向及び時間方向にチャネルの相関が高い場合に、効率的にウェイト系列指示情報のオーバーヘッドを削減できる。
【００６８】
図１２には、さらに別のウェイト系列集合の割り当て例が示される。複数のウェイト系列集合は、必ずしも同じ割合で送信ブロックに割り当てられなくてもよい。例えば、性質の異なる２つのウェイト系列集合Ｓ１及びＳ２を用意し、これらを図１２に示すようにＳ１の割合を高くして送信ブロックに割り当ててもよい。この場合、集合Ｓ１のサイズよりも集合Ｓ２のサイズを大きくすると、全体としてウェイト系列指示情報を削減することができる。
【００６９】
逆に、集合Ｓ１のサイズよりも集合Ｓ２のサイズを小さくすると、精度の高いウェイト制御をできる送信ブロックの割合を増やすことができる。さらに、集合Ｓ１及びＳ２に含まれるウェイト系列がそれぞれ送信ビームを形成するような構成となっている場合、Ｓ１によって形成されるビームに属する受信装置の方が多い場合には、図１２のような割り当てとすることで、より多くの数の受信装置の特性を改善することができる。
【００７０】
（ウェイト系列指示情報の送信法）  
図５で説明したように、受信側は送信ブロック毎にウェイト系列集合からウェイト系列を選択し（ステップＳ１０４）、選択したウェイト系列を示す指示情報を送信側に送信する（ステップＳ１０５）。この際、一部の送信ブロックに割り当てられたウェイト系列を示す指示情報のみを送信することによって、指示情報のオーバーヘッドを削減することができる。
【００７１】
また、同じウェイト系列集合が割り当てられている送信ブロック群の各ブロック間でチャネルの相関が高い場合には、送信ブロック群に共通のウェイト系列を選択し、送信ブロック群に対応したウェイト系列指示情報を送信してもよい。このようにすることにより、さらにウェイト系列指示情報を削減することができる。
【００７２】
例えば、図９に示したウェイト系列集合の割り当て例において、周波数方向のチャネルの相関が高い場合には、近接送信ブロック群３０１〜３０４毎に割り当てられたウェイト系列集合からそれぞれ一つのウェイト系列を選択し、ウェイト系列指示情報を送信する。また、例えば図６に示したウェイト系列集合の割り当て例のように、同じウェイト系列集合が割り当てられている送信ブロックが隣接していない場合であっても、例えば比較的近接している送信ブロック２０１及び２０２に割り当てられているウェイト系列集合Ｓ１から１つのウェイト系列を選択し、ウェイト系列指示情報を送信してもよい。
【００７３】
（ウェイト系列集合の生成法）  
次に、上述したウェイト系列集合の割り当て例で使用される、相対的に相関の低いウェイト系列集合として、複数の第１ウェイト系列の集合、及び第１ウェイト系列の各ウェイトに同一の位相回転を施して生成される、複数の第２ウェイト系列の集合を含むウェイト系列集合の例を示す。ここでは、先の定義と同様に送信アンテナの数をＭ、送信ベースバンド信号の数をＳとして説明する。さらに、ウェイト系列集合の数をＮ、１つのウェイト系列集合に含まれるウェイト系列の数をＸ、ｎ番目のウェイト系列集合におけるｘ番目のウェイト系列をｐn,xで表す。説明の簡単のため、以下の関数を定義する。
【数５】
2008244793.tif 000007
【００７４】
この関数は２π×ｒ[deg]の位相回転を表している。定義から明らかなように、ｒに任意の整数を足したり、ｒから任意の整数を引いたりした場合にも関数は同じ値となる。この様子を次式に示す。
【数６】
2008244793.tif 000008
【００７５】
ｎ番目のウェイト系列集合に含まれるｘ番目のウェイト系列は、位相回転ｆ(r)=ｆ((n+N・x)/(N・x))を元にして作成される。位相回転ｆ(r)をもとにしてウェイト系列を作成すると、ウェイト系列に含まれるウェイト間の位相差がｆ(r)となる。このようにして作成されるウェイト系列を含むウェイト系列集合を作成すると、異なるウェイト系列集合間では異なる位相回転を元にしてウェイト系列が作成されるために、ウェイト系列集合間の相関が小さくなる。以下、いくつかの例をあげて説明する。
【００７６】
例えば、Ｎ＝２，Ｍ＝２，Ｓ＝１，Ｘ＝２の場合、１番目のウェイト系列集合に含まれるウェイト系列及び２番目のウェイト系列集合に含まれるウェイト系列は、以下のように表される。
【数７】
2008244793.tif 000009
【００７７】
【数８】
2008244793.tif 000010
【００７８】
また、Ｎ＝２，Ｍ＝４，Ｓ＝１，Ｘ＝２の場合、１番目のウェイト系列集合に含まれるウェイト系列及び２番目のウェイト系列集合に含まれるウェイト系列は、以下のように表される。
【数９】
2008244793.tif 000011
【００７９】
【数１０】
2008244793.tif 000012
【００８０】
さらに、Ｎ＝２，Ｍ＝２，Ｓ＝１，Ｘ＝４の場合、１番目のウェイト系列集合に含まれるウェイト系列及び２番目のウェイト系列集合に含まれるウェイト系列は、以下のように表される。
【数１１】
2008244793.tif 000013
【００８１】
【数１２】
2008244793.tif 000014
【００８２】
このように異なる位相回転量を用いて複数のウェイト系列集合を生成すると、それらのウェイト系列集合間の相関は低くなる。
【００８３】
以上の説明において、ウェイト系列集合の番号を表すｎを互いに入れ替えたり、あるウェイト系列集合内でウェイト系列の番号を表すｘを互いに入れ替えたりしても、効果は実質的に変わらない。例えば、１番目のウェイト系列集合と２番目のウェイト系列集合と入れ替えても、それはそれぞれを特定するインデックスが変わるだけであり、効果は実質的に同じである。また、例えば１番目のウェイト系列集合内の１番目のウェイト系列と２番目のウェイト系列を入れ替えることも、同様である。
【００８４】
マルチパスフェージング環境下では、チャネルが周波数方向に変動しているために、仮に全ての送信ブロックに共通のウェイト系列集合を割り当てた場合であっても、送信ブロック毎に位相の揃い方が違ってくるため、ダイバーシティゲインが得られる。一方、フラットフェージングのような場合には、このようなダイバーシティゲインが得られない。そこで、ウェイト系列集合に位相回転を加えることによって、ダイバーシティゲインを作り出すことができる。
【００８５】
（ウェイト系列集合の位相回転）  
図１３を用いて、ウェイト系列集合に対して位相回転を施す方法について説明する。ウェイト系列集合に位相回転を施すことは、ウェイト系列集合に含まれる全てのウェイト系列の全てのウェイトに、同じ位相回転を施すことを意味している。例えば、以下のウェイト系列集合；
【数１３】
2008244793.tif 000015
【００８６】
にθの位相回転をさせることは、以下のようにウェイト系列集合Ｓ１を変換することを意味している。
【数１４】
2008244793.tif 000016
【００８７】
相対的に相関の低い２つのウェイト系列集合Ｓ１とＳ２がある場合、例えば図６、図９、図１０及び図１１に示したような割り当て例を用いることができる。前述のように受信性能の向上を目的とする場合、チャネルの相関が高い送信ブロック間では相関の低いウェイト系列集合を割り当てることが望ましい。しかしながら、時間軸や周波数軸の広い範囲でチャネルの相関が高い状況では、少ないウェイト系列集合でこれを実現することは難しい。
【００８８】
例えば、図６に示したウェイト系列集合の割り当て例において、周波数方向に連続する４つの送信ブロック間でチャネルの相関が高いとすると、２つのウェイト系列集合のみでは当該４つの送信ブロックに対して、相対的に相関の低いウェイト系列集合を割り当てることはできない。これに対して、図１３に示すように元々の２つのウェイト系列集合Ｓ１及びＳ２内のウェイト系列の各ウェイトに、それぞれ一定回転量の位相回転を加えると、図６の場合と比べてウェイト系列集合間の相関を低くすることができ、その結果として受信特性を向上させることができる。
【００８９】
この場合、周波数方向に隣接する送信ブロック間で、ウェイト系列集合の位相回転量の差は一定であることが望ましい。このようにすることにより、位相回転量をランダムにとる場合に比較して指示情報のビット数を低減できる。
【００９０】
図１３についてさらに説明すると、周波数方向に隣接する４つの送信ブロックには、以下のように位相回転が施されたウェイト系列集合が割り当てられている。図１３の上側４つの送信ブロック（左から第１、第２、第３及び第４送信ブロックという）についてみると、第１の送信ブロックに割り当てられたウェイト系列集合では、元の集合Ｓ１にθ11の位相回転が施され、第２の送信ブロックに割り当てられたウェイト系列集合では、元の集合Ｓ２にθ12の位相回転が施され、第３の送信ブロックに割り当てられたウェイト系列集合では、Ｓ１にθ13の位相回転が施され、第４の送信ブロックに割り当てられたウェイト系列集合では、Ｓ２にθ14の位相回転が施されている。
【００９１】
同様に、図１３の下側４つの送信ブロック（左から第５、第６、第７及び第８送信ブロックという）についてみると、第５の送信ブロックに割り当てられたウェイト系列集合では、Ｓ２にθ21の位相回転が施され、第６の送信ブロックに割り当てられたウェイト系列集合では、Ｓ１にθ22の位相回転が施され、第７の送信ブロックに割り当てられたウェイト系列集合では、Ｓ２にθ23の位相回転が施され、第８の送信ブロックに割り当てられたウェイト系列集合では、Ｓ１にθ24の位相回転が施されている。
【００９２】
ここで、一例を挙げるとθ11＝０°（位相回転無し），θ12＝１０°，θ13＝２０°、θ14＝３０°のように選ばれる。すなわち、各送信ブロックにそれぞれ割り当てられるウェイト系列集合には、集合内の各ウェイト系列の各ウェイトに、同じ回転量の位相回転が施されている。また、周波数方向で隣接する送信ブロック間において、割り当てられているウェイト系列集合の位相回転量の差は、一定（この例では、１０°）である。
【００９３】
他の一例を挙げると、θ11＝０°（位相回転なし），θ12＝１００°，θ13＝２０°、θ14＝１２０°，θ21＝１８０°，θ22＝２８０°，θ23＝２００°、θ24＝２１０°のように選ばれる。この例においても、各送信ブロックにそれぞれ割り当てられるウェイト系列集合には、集合内の各ウェイト系列の各ウェイトに、同じ回転量の位相回転が施されている。さらに、時間方向で隣接する送信ブロック間において、割り当てられているウェイト系列集合の位相回転量の差は、一定（この例では１８０°）である。
【００９４】
またさらに他の一例を挙げると、θ11＝０°（位相回転なし），θ12＝１０°，θ13＝２０°、θ14＝３０°，θ21＝１８０°，θ22＝１９０°，θ23＝２００°、θ24＝２１０°のように選ばれる。この例においても、各送信ブロックにそれぞれ割り当てられるウェイト系列集合には、集合内の各ウェイト系列の各ウェイトに、同じ回転量の位相回転が施されている。さらに、周波数方向で隣接する送信ブロック間において、割り当てられているウェイト系列集合の位相回転量の差は、一定（この例では、１０°）であり、時間方向で隣接する送信ブロック間において、割り当てられているウェイト系列集合の位相回転量の差は、一定（この例では１８０°）である。
【００９５】
（位相回転を用いた場合の無線送信装置及び無線受信装置の処理の流れ）  
次に、図１４を用いてウェイト系列集合に位相回転を施す場合の図１または図４に示した無線送信装置及び図３に示した無線受信装置の処理の流れについて説明する。図１４では、無線送信装置は送信側と記載され、無線受信装置は受信側と記載されている。
【００９６】
まず、送信ブロック毎のウェイト系列集合及び位相回転量を共有する（ステップＳ２０１）。これは具体的には、無線送信装置内のウェイト系列集合蓄積部１２及び無線受信装置内のウェイト系列集合蓄積部３７において、互いに同一のウェイト系列集合及び位相回転量を用意し、これらの集合を各送信ブロックに対応付けて蓄積することに相当する。
【００９７】
位相回転量については、送信ブロック毎に独立に設定してもよい。ある基準の送信ブロックから、設定対象の送信ブロックまでの時間または周波数の距離に応じて一意に算出される位相回転量を設定してもよい。後者の例によると、例えば基準の送信ブロックから周波数のプラス方向にｆ個先で、時間のプラス方向にｔ個先の送信ブロックには、ｆθF＋ｔθTで表される位相回転を施す。このように位相回転量を設定すれば、基準の送信ブロックに関する情報と、θFやθTのような位相回転量を示す情報のみを共有すればよいため、共有する情報を削減することができる。ウェイト系列集合と位相回転量の両方について、あらかじめシステムで既知としておくこともでき、その場合にはステップＳ２０１の処理は省略できる。
【００９８】
次に、送信側からチャネル推定のための既知信号を送信する（ステップＳ２０２）。次に、受信側において受信した既知信号を用いて送信ブロック毎のチャネル推定を行う（ステップＳ２０３）。ステップＳ２０２及びＳ２０３の処理は、図５に示したステップＳ１０２及びＳ１０３の処理と同様である。
【００９９】
次に、受信側においてステップＳ２０３により得られるチャネル推定値と位相回転量を基にして、送信ブロック毎に当該送信ブロックに対応するウェイト系列集合の中から一つのウェイト系列を選択する（ステップＳ２０４）。
【０１００】
次に、受信側から送信ブロック毎に選択されたウェイト系列を示すインデックスであるウェイト系列指示情報を送信側へ送信する（ステップＳ２０５）。ステップＳ１０５では、例えばチャネルの品質が相対的に高い一部の送信ブロックのみに対応するウェイト系列指示情報を送信してもよい。また、ステップＳ２０５においてウェイト系列指示情報と共に、各送信ブロックに対応するチャネルの品質を表す情報（チャネル品質情報）を併せて送信してもよい。
【０１０１】
次に、送信側において送信ブロックを選択する（ステップＳ２０６）。ウェイト系列指示情報は送信ブロックに対応付けられているので、ステップＳ２０６ではウェイト系列情報に従って一つの送信ブロックを選択する。
【０１０２】
例えば、ステップＳ２０５においてチャネル品質が相対的に高い一部の送信ブロック（一般には複数の送信ブロック）のみに対応するウェイト系列指示情報が送信される場合には、ステップＳ２０６では当該ウェイト系列指示情報に対応する一部の送信ブロックの中から一つの送信ブロックを選択する。こうすることにより、ステップＳ２０６ではチャネルの状態がよい送信ブロックが選択される。
【０１０３】
また、ステップＳ２０５においてチャネル品質情報も併せて送信される場合には、ステップＳ２０６では当該チャネル品質情報を基にしてチャネルの品質が相対的に高い送信ブロックを選択する。こうすることによっても、ステップＳ２０６ではチャネルの状態がよい送信ブロックが選択される。
【０１０４】
次に、ステップＳ２０６で選択された送信ブロックに割り当てられているウェイト系列集合から、選択された送信ブロックに対応するウェイト系列をウェイト系列指示情報に従って選択する（ステップＳ２０７）。
【０１０５】
最後に、ステップＳ２０７で選択されたウェイト系列と割り当てられた位相回転量を用いて変換された信号に、ステップＳ２０６で選択された送信ブロックを割り当て、当該送信ブロックを用いて送信を行う（ステップＳ２０８）。
【０１０６】
このように受信側においてステップＳ２０７で選択されたウェイト系列と同じウェイト系列で変換された送信信号が送信側から送信されるので、受信特性を改善することができる。
【０１０７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０８】
【図１】本発明の一実施形態に従う無線送信装置を示すブロック図
【図２】送信ブロックに対するウェイト系列集合の割り当て例を示す図
【図３】一実施形態に従う無線受信装置を示すブロック図
【図４】無線送信装置の変形例を示すブロック図
【図５】無線送信装置及び無線受信装置の処理の流れを示す図
【図６】送信ブロックに対するウェイト系列集合の割り当て例を示す図
【図７】送信ブロックに対するウェイト系列集合の割り当て例を示す図
【図８】送信ブロックに対するウェイト系列集合の割り当て例を示す図
【図９】送信ブロックに対するウェイト系列集合の割り当て例を示す図
【図１０】送信ブロックに対するウェイト系列集合の割り当て例を示す図
【図１１】送信ブロックに対するウェイト系列集合の割り当て例を示す図
【図１２】送信ブロックに対するウェイト系列集合の割り当て例を示す図
【図１３】送信ブロックに対する、位相回転が施されたウェイト系列集合の割り当て例を示す図
【図１４】位相回転が施されたウェイト系列集合を用いた場合の無線送信装置及び無線受信装置の処理の流れを示す図
【符号の説明】
【０１０９】
１０・・・データ信号入力端子
１１・・・一次変調部
１２・・・ウェイト系列集合蓄積部
１３・・・ウェイト系列集合選択部
１４・・・乗算器
１５・・・送信ブロック選択／割当部
１６・・・二次変調部
１７・・・無線部
１８・・・送信アンテナ
２１・・・受信アンテナ
２２・・・無線部
２３・・・ウェイト系列情報再生部
３１・・・受信アンテナ
３２・・・無線部
３３・・・二次復調部
３４・・・一次復調部
３５・・・チャネル推定部
３６・・・データ信号
３７・・・ウェイト系列集合蓄積部
３８・・・ウェイト系列選択部
３９・・・ウェイト系列指示情報生成部
４１・・・無線部
４２・・・送信アンテナ
【図１】
2008244793.tif 000017
【図２】
2008244793.tif 000018
【図３】
2008244793.tif 000019
【図４】
2008244793.tif 000020
【図５】
2008244793.tif 000021
【図６】
2008244793.tif 000022
【図７】
2008244793.tif 000023
【図８】
2008244793.tif 000024
【図９】
2008244793.tif 000025
【図１０】
2008244793.tif 000026
【図１１】
2008244793.tif 000027
【図１２】
2008244793.tif 000028
【図１３】
2008244793.tif 000029
【図１４】
2008244793.tif 000030